(57)【要約】【課題】近距離無線通信を利用して不特定多数に向けての情報配信のし易い情報配信システム及び情報配信方法を提供することである。【解決手段】ブルートゥース（登録商標）の規定に従って、マスタ側無線通信機器とスレーブ側無線通信機器との間で近距離無線通信を開始する無線通信システムを利用した情報配信システムであって、前記マスタ側無線通信機器としての第１無線通信機器２０と、第１無線通信機器２０から送信される探索信号（１）を受信したときに、応答信号の前記マスタ側無線通信機器との接続確立に必要な情報として予め定められた情報を含めるべき領域に該接続確立に関わりない配信情報を含む当該応答信号を送信する（２）、前記スレーブ側無線通信機器としての第２無線通信機器１０とを有し、前記応答信号を受信した前記第１無線通信機器１０が、前記応答信号に含まれる前記配信情報を取得する構成となる。【選択図】図５
2014017254.tif 000002
【特許請求の範囲】
【請求項１】
マスタ側無線通信機器が探索信号を送信し、
スレーブ側無線通信機器が探索信号の待ち受け動作を行い、
前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムを利用した情報配信システムであって、
前記マスタ側無線通信機器としての第１無線通信機器と、
該第１無線通信機器から送信される探索信号を受信したときに、前記応答信号の前記マスタ側無線通信機器との接続確立に必要な情報として予め定められた情報を含めるべき領域に該接続確立に関わりない配信情報を含む当該応答信号を送信する、前記スレーブ側無線通信機器としての第２無線通信機器とを有し、
前記応答信号を受信した前記第１無線通信機器が、前記応答信号に含まれる前記配信情報を取得する情報配信システム。
【請求項２】
前記スレーブ側無線通信機器としての前記第２無線通信機器は、前記応答信号の前記予め定められた領域に前記配信情報と所定の相対的位置関係をもって配置される識別情報を含む当該応答信号を送信する請求項１記載の情報配信システム。
【請求項３】
前記マスタ側無線通信機器としての前記第１無線通信機器は、受信した前記応答信号から前記識別情報を検出し、前記応答信号において前記識別情報と所定の相対的位置関係をもって配置される情報を前記配信情報として取得する請求項２記載の情報配信システム。
【請求項４】
前記無線通信システムとして、ブルートゥース（登録商標）の規定に従って近距離無線通信を開始する無線通信システムを用いた請求項１記載の情報配信システム。
【請求項５】
前記スレーブ側無線通信機器としての前記第２無線通信機器は、前記マスタ側無線通信機器との接続確立に必要な情報として予め定められたデバイス名に係る情報を含めるべき領域に前記配信情報を含む前記応答信号を送信する請求項４記載の情報配信システム。
【請求項６】
前記マスタ側無線通信機器としての前記第１無線通信器は、前記応答信号の前記デバイス名に係る情報を含めるべき領域から前記配信情報を取得する請求項５記載の情報配信システム。
【請求項７】
前記第１無線通信機器が前記応答信号を受信した後において、前記マスタ側無線通信機器としての前記第１無線通信機器と前記スレーブ側無線通信機器としての前記第２無線通信機器との間での接続確立がなされない請求項１記載の情報配信システム。
【請求項８】
マスタ側無線通信機器が探索信号を送信し、
スレーブ側無線通信機器が探索信号の待ち受け動作を行い、
前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記スレーブ側無線通信機器としての無線通信機器であって、
マスタ側無線通信機器からの探索信号が受信部によって受信されたときに、応答信号の前記マスタ側無線通信機器との接続確立に必要な情報として予め定められた情報を含めるべき領域に該接続確立に関わりない配信情報を含む当該応答信号を用意する応答信号セット手段と、
該応答信号セット手段により用意された前記応答信号を送信部に送信させる応答信号送信制御手段とを有する無線通信機器。
【請求項９】
前記応答信号セット手段は、前記応答信号の前記予め定められた領域に前記配信情報と所定の相対的位置関係をもって配置される識別情報を含む当該応答信号を用意する請求項８記載の無線通信機器。
【請求項１０】
ブルートゥース（登録商標）の規定に従って前記マスタ側無線通信機器と近距離通信を開始する請求項８記載の無線通信機器。
【請求項１１】
前記応答信号セット手段は、前記マスタ側無線通信機器との接続確立に必要な情報として予め定められたデバイス名に係る情報を含めるべき領域に前記配信情報を含む前記応答信号を用意する請求項１０記載の無線通信機器。
【請求項１２】
前記応答信号が前記送信部によって送信された後において、前記マスタ側無線通信機器との間での接続確立を行わない請求項８記載の無線通信機器。
【請求項１３】
マスタ側無線通信機器が探索信号を送信し、
スレーブ側無線通信機器が探索信号の待ち受け動作を行い、
前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記マスタ側無線通信機器としての無線通信機器であって、
送信部が前記探索信号を送信した後に、受信部にて応答信号が受信されたときに、該応答信号の前記スレーブ側無線通信機器との接続確立に必要な情報として予め定められた情報を含むべき領域から当該接続確立に関わりない配信情報を取得する配信情報取得手段を有する無線通信機器。
【請求項１４】
前記応答信号は、前記予め定められた領域に前記配信信号との所定の相対位置関係をもって配置される識別情報を含んでおり、
前記配信情報取得手段は、前記応答信号から前記識別情報を検出し、前記応答信号において前記識別情報と所定の相対的位置関係をもって配置される情報を前記配信情報として取得する請求項１３記載の無線通信機器。
【請求項１５】
ブルートゥース（登録商標）の規定に従って前記スレーブ側無線通信機器と近距離通信を開始する請求項１３記載の無線通信機器。
【請求項１６】
前記応答信号は、前記マスタ側無線通信機器との接続確立に必要な情報として予め定められたデバイス名に係る情報を含めるべき領域に前記配信情報を含んでおり、
前記配信情報取得手段は、前記応答信号の前記デバイス名に係る情報を含めるべき領域から前記配信情報を取得する請求項１５記載の無線通信機器。
【請求項１７】
前記応答信号が前記受信部によって受信された後において、前記スレーブ側無線通信機器との間での接続確立を行わない請求項１３記載の無線通信機器。
【請求項１８】
マスタ側無線通信機器が探索信号を送信し、
スレーブ側無線通信機器が探索信号の待ち受け動作を行い、
前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記スレーブ側無線通信機器としての無線通信機器での処理をコンピュータに行わせるプログラムであって、
マスタ側無線通信機器からの探索信号が受信部によって受信されたときに、応答信号の前記マスタ側無線通信機器との接続確立に必要な情報として予め定められた情報を含めるべき領域に該接続確立に関わりない配信情報を含む当該応答信号を用意する応答信号セットステップと、
該応答信号セットステップにより用意された前記応答信号を送信部に送信させる応答信号送信制御ステップとを前記コンピュータに行わせるプログラム。
【請求項１９】
前記応答信号セットステップは、前記応答信号の前記予め定められた領域に前記配信情報と所定の相対的位置関係をもって配置される識別情報を含む当該応答信号を用意する請求項１８記載のプログラム。
【請求項２０】
ブルートゥース（登録商標）の規定に従って前記マスタ側無線通信機器と近距離通信を開始する無線通信機器での処理を前記コンピュータに行わせる請求項１８記載のプログラム。
【請求項２１】
前記応答信号セットステップは、前記マスタ側無線通信機器との接続確立に必要な情報として予め定められたデバイス名に係る情報を含めるべき領域に前記配信情報を含む前記応答信号を用意する請求項２０記載のプログラム。
【請求項２２】
マスタ側無線通信機器が探索信号を送信し、
スレーブ側無線通信機器が探索信号の待ち受け動作を行い、
前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記マスタ側無線通信機器としての無線通信機器での処理をコンピュータに行わせるプログラムであって、
送信部が前記探索信号を送信した後に、受信部にて応答信号が受信されたときに、該応答信号の前記スレーブ側無線通信機器との接続確立に必要な情報として予め定められた情報を含むべき領域から当該接続確立に関わりない配信情報を取得する配信情報取得ステップを前記コンピュータに行わせるプログラム。
【請求項２３】
前記応答信号は、前記予め定められた領域に前記配信信号との所定の相対位置関係をもって配置される識別情報を含んでおり、
前記配信情報取得ステップは、前記応答信号から前記識別情報を検出し、前記応答信号において前記識別情報と所定の相対的位置関係をもって配置される情報を前記配信情報として取得する請求項２２記載のプログラム。
【請求項２４】
ブルートゥース（登録商標）の規定に従って前記スレーブ側無線通信機器と近距離通信を開始する無線通信機器での処理を前記コンピュータに行わせる請求項２２記載のプログラム。
【請求項２５】
前記応答信号は、前記マスタ側無線通信機器との接続確立に必要な情報として予め定められたデバイス名に係る情報を含めるべき領域に前記配信情報を含んでおり、
前記配信情報取得ステップは、前記応答信号の前記デバイス名に係る情報を含めるべき領域から前記配信情報を取得する請求項２４記載のプログラム。
【発明の詳細な説明】
【技術分野】
【０００１】
本発明は、近距離無線通信により情報を配信する情報配信システム、並びに、該情報配信システムに用いられる無線通信機器及び該無線通信機器での処理をコンピュータに行わせるためのプログラムに関する。
【背景技術】
【０００２】
従来、ブルートゥース（登録商標）（以下、適宜ＢＴという）の規定に従った近距離無線通信により、各種情報を配信するシステムが提案されている（特許文献１参照）。このシステムでは、無線携帯端末に搭載されたＢＴユニット部が探索信号を送信して、近隣に存在するＢＴ固定局を探索する。そして、無線携帯端末の近隣にＢＴ固定局が存在すると、ＢＴユニット部とＢＴ固定局との間で所定のプロトコルに従って通信リンクを開設するための処理が実施される。それによって、無線携帯端末のＢＴユニットとＢＴ固定局との間の通信リンクが開設されてそれらの接続が確立すると、その後、ＢＴ固定局からＢＴの規定に従った近距離通信により、例えば、周辺情報（配信情報）が送信される。無線携帯端末のＢＴユニット部にてＢＴ固定局から送信される周辺情報が受信されると、その周辺情報が無線携帯端末において利用される。
【先行技術文献】
【特許文献】
【０００３】
【特許文献１】特開２００２−２７５２６号公報
【発明の概要】
【発明が解決しようとする課題】
【０００４】
前述したような情報を配信するシステムでは、ＢＴ固定局と無線携帯端末のＢＴユニット部とが個々的に通信リンクを開設してそれらの接続を確立させなければならない。このため、通信リンクを開設して接続を確立させるために、セキュリティ上必要な情報（ＰＩＮコード、リンクキー等）を送受する必要がある等、不特定多数向けの情報配信のためのシステムとしては利用し難いものとなっている。【０００５】
本発明は、このような事情に鑑みてなされたもので、近距離無線通信を利用して不特定多数に向けての情報配信がし易い情報配信システム、情報配信システムに用いられる無線通信機器及びプログラムを提供するものである。
【課題を解決するための手段】
【０００６】
本発明に係る情報配信システムは、マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムを利用した情報配信システムであって、前記マスタ側無線通信機器としての第１無線通信機器と、該第１無線通信機器から送信される探索信号を受信したときに、前記応答信号の前記マスタ側無線通信機器との接続確立に必要な情報として予め定められた情報を含めるべき領域に該接続確立に関わりない配信情報を含む当該応答信号を送信する、前記スレーブ側無線通信機器としての第２無線通信機器とを有し、前記応答信号を受信した前記第１無線通信機器が、前記応答信号に含まれる前記配信情報を取得する構成となる。【０００７】
このような構成により、マスタ側無線通信機器としての第１無線通信機器が探索信号を送信した後に、その探索信号を受信したスレーブ側無線通信機器としての第２無線通信機器から、応答信号の接続確立に必要な情報として予め定められた情報を含めるべき領域に該接続確立に関わりない配信情報を含む当該応答信号が送信され、その応答信号を受信した前記第１無線通信機器が該応答信号に含まれる前記配信情報を取得するので、第１無線通信機器と第２無線通信機器との間の接続確立がなされる前の、探索信号の送受及びその応答信号の送受により、その接続確立に関わりない配信情報を第２無線通信機器から第１無線通信機器に近距離無線通信により送ることができる。【０００８】
本発明に係る情報配信システムにおいて、前記スレーブ側無線通信機器としての前記第２無線通信機器は、前記応答信号の前記予め定められた領域に前記配信情報と所定の相対的位置関係をもって配置される識別情報を含む当該応答信号を送信する構成とすることができる。この場合、前記マスタ側無線通信機器としての前記第１無線通信機器は、受信した前記応答信号から前記識別情報を検出し、前記応答信号において前記識別情報と所定の相対的位置関係をもって配置される情報を前記配信情報として取得する構成とすることができる。【０００９】
このような構成により、応答信号を受信する第１無線通信機器において、該応答信号に含まれる配信情報を識別情報に基づいて容易に見つけ出すことができる。【００１０】
また、本発明に係る情報配信システムにおいて、前記無線通信システムとして、ブルートゥース（登録商標）の規定に従って近距離無線通信を開始する無線通信システムを用いた構成とすることができる。【００１１】
このような構成により、第１無線通信機器と第２無線通信機器との間のブルートゥース（登録商標）の規定に従った接続確立がなされる前の、探索信号の送受及びその応答信号の送受により、その接続確立に関わりない配信情報をスレーブ無線通信機器としての第２無線通信機器からマスタ側無線通信機器としての第１無線通信機器に送ることができる。【００１２】
上記のように前記無線通信システムとして、ブルートゥース（登録商標）の規定に従って近距離無線通信を開始する無線通信システムが用いられる場合、前記スレーブ側無線通信機器としての前記第２無線通信機器は、前記マスタ側無線通信機器との接続確立に必要な情報として予め定められたデバイス名に係る情報を含めるべき領域に前記配信情報を含む前記応答信号を送信する構成とすることができる。また、この場合、前記マスタ側無線通信機器としての前記第１無線通信器は、前記応答信号の前記デバイス名に係る情報を含めるべき領域から前記配信情報を取得する構成とすることができる。【００１３】
このような構成により、応答信号を受信する第１無線通信機器において、該応答信号に含まれる配信情報を、予め判っているデバイス名が含まれる領域から容易に見つけ出すことができる。【００１４】
更に、本発明に係る情報配信システムにおいて、前記第１無線通信機器が前記応答信号を受信した後において、前記マスタ側無線通信機器としての前記第１無線通信機器と前記スレーブ側無線通信機器としての前記第２無線通信機器との間での接続確立がなされない構成とすることができる。【００１５】
このような構成により、配信情報の含められた応答信号が第１無線通信機器（マスタ側無線通信機器）にて受信されて情報配信の目的が達成された後に、第１無線通信機器と第２無線通信機器との間での接続確立のための処理がなされないので、情報配信後の無駄な動作を省くことができる。【００１６】
本発明に係る無線通信機器は、マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記スレーブ側無線通信機器としての無線通信機器であって、マスタ側無線通信機器からの探索信号が受信部によって受信されたときに、応答信号の前記マスタ側無線通信機器との接続確立に必要な情報として予め定められた情報を含めるべき領域に該接続確立に関わりない配信情報を含む当該応答信号を用意する応答信号セット手段と、該応答信号セット手段により用意された前記応答信号を送信部に送信させる応答信号送信制御手段とを有する構成となる。【００１７】
このような構成により、マスタ側無線通信機器との接続確立がなされる前の、マスタ側無線通信機器からの探索信号が受信部にて受信された際に、応答信号の接続確立に必要な情報として予め定められた情報を含めるべき領域にその接続確立に関わりない配信情報を含む応答信号が、用意されて、送信部から送信される。それにより、探索信号を送信したマスタ側無線通信機器において、応答信号が受信されれば、その応答信号に含まれる接続確立に関わりない配信情報を取得することができる。【００１８】
前記配信情報を含む応答信号を用意する応答信号セット手段は、応答信号の接続確立に必要な情報として予め定められた情報を含めるべき領域に、その接続確立に関わりない配信情報を含む応答信号を新たに生成する毎に、その生成された応答信号を送信部より送信すべき応答信号として用意するようにしても、記憶部に予め記憶された前記配信情報を含む応答信号を送信部より送信すべき応答信号として用意するようにしてもよい。【００１９】
本発明に係る無線通信機器において、前記応答信号セット手段は、前記応答信号の前記予め定められた領域に前記配信情報と所定の相対的位置関係をもって配置される識別情報を含む当該応答信号を用意する構成とすることができる。【００２０】
このような構成により、応答信号を受信したマスタ側無線通信装置において、該応答信号から識別情報に基づいて配信情報を容易に見つけ出すことができる。【００２１】
また、本発明に係る無線通信機器は、ブルートゥース（登録商標）の規定に従って前記マスタ側無線通信機器と近距離通信を開始する構成とすることができる。【００２２】
上記の場合、前記応答信号セット手段は、前記マスタ側無線通信機器との接続確立に必要な情報として予め定められたデバイス名に係る情報を含めるべき領域に前記配信情報を含む前記応答信号を用意する構成とすることができる。【００２３】
このような構成により、応答信号を受信したマスタ側無線通信機器において、該応答信号に含まれる配信情報を、予め判っているデバイス名が含まれる領域から容易に見つけ出すことができる。【００２４】
更に、本発明に係る無線通信機器は、前記応答信号が前記送信部によって送信された後において、前記マスタ側無線通信機器との間での接続確立を行わない構成とすることができる。【００２５】
このような構成により、配信情報の含められた応答信号がマスタ側無線通信機器に送信されて情報配信の目的が達成された後に、マスタ側無線通信機器との間での接続確立のための処理がなされないので、情報配信後の無駄な動作を省くことができる。【００２６】
本発明に係る無線通信機器は、マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記マスタ側無線通信機器としての無線通信機器であって、送信部が前記探索信号を送信した後に、受信部にて応答信号が受信されたときに、該応答信号の前記スレーブ側無線通信機器との接続確立に必要な情報として予め定められた情報を含むべき領域から当該接続確立に関わりない配信情報を取得する配信情報取得手段を有する構成となる。【００２７】
このような構成により、スレーブ側無線通信機器との接続確立がなされる前において、探索信号が送信部にて送信された後に、スレーブ側無線通信機器から応答信号の接続確立に必要な情報として予め定められた情報を含むべき領域にその接続確立に関わりない配信情報を含む当該応答信号が送信されると、受信部にて受信される前記応答信号から接続確立に関わりない配信情報を取得することができる。【００２８】
本発明に係る無線通信機器において、前記応答信号は、前記予め定められた領域に前記配信信号との所定の相対位置関係をもって配置される識別情報を含んでおり、前記配信情報取得手段は、前記応答信号から前記識別情報を検出し、前記応答信号において前記識別情報と所定の相対的位置関係をもって配置される情報を前記配信情報として取得する構成とすることができる。【００２９】
このような構成により、受信した応答信号から識別情報に基づいて容易に配信情報を見つけ出すことができる。【００３０】
また、本発明に係る無線通信機器は、ブルートゥース（登録商標）の規定に従って前記スレーブ側無線通信機器と近距離通信を開始する構成とすることができる。【００３１】
上記の場合、前記応答信号は、前記マスタ側無線通信機器との接続確立に必要な情報として予め定められたデバイス名に係る情報を含めるべき領域に前記配信情報を含んでおり、前記配信情報取得手段は、前記応答信号の前記デバイス名に係る情報を含めるべき領域から前記配信情報を取得する構成とすることができる。【００３２】
このような構成により、受信された応答信号に含まれる配信情報を、予め判っているデバイス名が含まれる領域から容易に見つけ出すことができる。【００３３】
更に、本発明に係る無線通信機器は、前記応答信号が前記受信部によって受信された後において、前記スレーブ側無線通信機器との間での接続確立を行わない構成とすることができる。【００３４】
このような構成により、配信情報の含められた応答信号が受信部にて受信されて情報配信の目的が達成された後に、スレーブ側無線通信機器との間での接続確立のための処理がなされないので、情報配信後の無駄な動作を省くことができる。【００３５】
本発明に係るプログラムは、マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記スレーブ側無線通信機器としての無線通信機器での処理をコンピュータに行わせるプログラムであって、マスタ側無線通信機器からの探索信号が受信部によって受信されたときに、応答信号の前記マスタ側無線通信機器との接続確立に必要な情報として予め定めた情報含めるべき領域に該接続確立に関わりない配信情報を含む当該応答信号を用意する応答信号セットステップと、該応答信号セットステップにより用意された前記応答信号を送信部に送信させる応答信号送信制御ステップとを前記コンピュータに行わせる構成となる。【００３６】
また、本発明に係る他のプログラムは、マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システムにおける前記マスタ側無線通信機器としての無線通信機器での処理をコンピュータに行わせるプログラムであって、送信部が前記探索信号を送信した後に、受信部にて応答信号が受信されたときに、該応答信号の前記スレーブ側無線通信機器との接続確立に必要な情報として予め定められた情報を含むべき領域から当該接続確立に関わりない配信情報を取得する配信情報取得ステップを前記コンピュータに行わせる構成となる。
【発明の効果】
【００３７】
本発明に係る情報配信システムによれば、第１無線通信機器と第２無線通信機器との間の接続確立がなされる前の、探索信号の送受及びその応答信号の送受により、当該接続確立に関わりない配信情報を第２無線通信機器から第１無線通信機器に近距離無線通信により送ることができるので、近距離無線通信を利用して不特定多数に向けての情報配信がよりし易いものとなる。本発明に係る情報配信システムは、具体的に、例えば、ブルートゥース（登録商標）の規定に従って近距離無線通信を開始する無線通信システムを利用することにより、容易に実現することができる。【００３８】
また、本発明に係る無線通信機器及びプログラムによれば、上記情報配信システムを実現させることができる。
【図面の簡単な説明】
【００３９】
【図１】本発明の実施の形態に係る情報配信ステムの基本的な構成を示す図である。
【図２】図１に示す情報配信システムにおける情報配信固定局（第２無線通信機器）の構成例を示すブロック図である。
【図３】図１に示す情報配信システムにおける携帯情報端末（第１無線通信機器）の構成例を示すブロック図である。
【図４】マスタ側無線通信機器とスレーブ側無線通信機器との間でなされるブルートゥース（登録商標）の規定に従った一般的な通信手順を示すシーケンス図である。
【図５】図１に示す情報配信システムにおける情報配信固定局と携帯情報端末との間でなされる通信手順を示すシーケンス図である。
【図６】図５に示す通信手順において、情報配信固定局（第２無線通信機器：スレーブ側無線通信機器）にてなされる処理の手順を示すフローチャートである。
【図７】配信情報を含む応答信号のフォーマットの一例を示す図である。
【図８】応答信号に含まれる配信情報と識別情報（タグ）との関係の一例を示す表図である。
【図９】図５に示す通信手順において、携帯情報端末（第１無線通信機器：マスタ側無線通信機器）にてなされる処理の手順を示すフローチャートである。
【図１０】情報配信システムの適用例を示す図である。
【図１１】配信情報を取得した携帯情報端末での配信情報を処理するための手順の一例を示すフローチャートである。
【図１２】情報配信システムの他の適用例を示す図である。
【図１３】図５に示す通信手順において、情報配信固定局にてなされる処理の他の手順を示すフローチャートである。
【図１４】情報配信システムにおいて時間的に変化する情報の配信がなされる場合の、情報配信固定局と携帯情報端末との間でなされる通信手順を示すシーケンス図である。
【図１５】情報配信システムの他の基本構成例を示す図である。
【図１６Ａ】図１５に示す情報配信システムにおいて配信情報を受ける側の携帯情報端末での当該配信情報を処理するための手順の一例（その１）を示すフローチャートである。
【図１６Ｂ】図１５に示す情報配信システムにおいて配信情報を受ける側の携帯情報端末での当該配信情報を処理するための手順の一例（その２）を示すフローチャートである。
【図１７】図１５に示す情報配信システムにおける配信情報を送る側の携帯情報端末と該配信情報を受ける側の携帯情報端末との間でなされる通信手順の一例を示すシーケンス図である。
【発明を実施するための形態】
【００４０】
以下、本発明の実施の形態について図面を用いて説明する。
【００４１】
本発明の実施の一形態に係る情報配信システムは、図１に示すように構成される。
【００４２】
図１において、情報配信システムは、建物内、駅構内や地下街等に設置された情報配信固定局１０から携帯情報端末（例えば、スマートフォン）２０に情報の配信がなされるように構成されている。この情報配信システムは、ブルートゥース（登録商標）の規定に従って近距離通信を開始する無線通信システムを利用しており、情報配信固定局１０がスレーブ側無線通信機器として機能し、携帯情報端末２０がマスタ側無線通信機器として機能する。
【００４３】
情報の配信を行う情報配信固定局１０は、例えば、図２に示すように構成される。
【００４４】
図２において、情報配信固定局１０は、受信部１１、受信信号処理部１３、送信部１２、送信信号処理部１４、制御ユニット１５、基準信号生成部１６及び記憶部１７を有している。受信部１１及び受信信号処理部１３は、基準信号生成部１６にて生成される基準信号に同期して動作する。受信部１１は、ブルートゥース（登録商標）の規定に従って送信される信号を受信し、復調して受信信号を生成する。受信信号処理部１３は、受信部１１からの受信信号に対して復号等の各種処理を施し、それにより得られた情報を受信データとして制御ユニット１５に供する。制御ユニット１５は、ＣＰＵを含むコンピュータにて構成され、記憶部１７に記憶されたプログラムに従って各種処理を実行する。
【００４５】
送信信号処理部１４及び送信部１２は、基準信号生成部１６にて生成される基準信号に同期して動作する。送信信号処理部１４は、制御ユニット１５から供される送信すべき情報に対して符号化等の処理を施して送信信号を生成し、送信部１２は、送信信号処理部１４からの送信信号を、ブルートゥース（登録商標）の規定に従って変調等して送信する。
【００４６】
記憶部１７には、マスタ側無線通信機器からの探索信号を受信した際に送信する応答信号に含めるべき各種情報が格納されている。なお、応答信号に含めるべき情報については後に詳述する。
【００４７】
情報の配信を受ける携帯情報端末（例えば、スマートフォン）２０は、例えば、図３に示すように構成される。
【００４８】
図３において、この携帯情報端末２０は、処理ユニット２００、ＢＴ無線通信ユニット２１０、３Ｇ移動通信ユニット２２０、表示部２０１、操作部２０２及び記憶部２０３を有している。処理ユニット２００は、ＣＰＵを含むコンピュータにて構成され、記憶部２０３に記憶されたプログラムに従って各種処理を実行する。ＢＴ無線通信ユニット２１０は、受信部及び送信部等を有し、処理ユニット２００の制御のもと、ブルートゥース（登録商標）の規定に従って情報（信号）の送受信を行う。３Ｇ無線通信ユニット２２０は、処理ユニット２００の制御のもと、第３世代の移動体通信網を介して音声及びデータの送受信を行う。
【００４９】
処理ユニット２００は、操作部２０２での操作に従って各種処理を実行する。また、処理ユニット２００は、処理により得られた各種情報を表示部２０１に表示させることができる。記憶部２０３には、前述したプログラムのほか、処理ユニット２００での処理に使用する情報、あるいは、その処理の結果得られた各種情報が格納される。
【００５０】
ところで、マスタ側無線通信機器とスレーブ側無線通信機器との間でなされるブルートゥース（登録商標）の規定に従った一般的な通信手順は、図４に示すようになっている。
【００５１】
図４において、ＢＴマスタ側機器Ｍ（マスター側無線通信機器）は、周囲に探索信号を送信している（手順１）。このＢＴマスタ側機器Ｍの近傍に探索信号の待ち受け状態にあるＢＴスレーブ側機器Ｓ１、Ｓ２、Ｓ３（スレーブ側無線通信機器）が存在すると、その探索信号に応答可能な、例えば、２つのＢＴスレーブ側機器Ｓ１、Ｓ２は、応答信号をＢＴマスタ側機器Ｍに送信する（手順２、手順３）。この応答信号には、ＢＴマスタ側機器Ｍとの接続確立に必要な情報として予め定められた所定の情報、例えば、ＢＴスレーブ側機器Ｓ１（Ｓ２）の「デバイス名」及び「アドレス情報」が含まれている。なお、前記探索信号に応答可能ではないＢＴスレーブ側機器Ｓ３は、探索信号に対する応答信号を送信しない。
【００５２】
ＢＴマスタ側機器Ｍは、応答信号を受信すると、その送信元であるＢＴスレーブ側機器との接続確立に必要な情報（デバイス名、アドレス情報を含む）に基づいて接続すべきＢＴスレーブ側機器（例えば、Ｓ１）を特定し、そのＢＴスレーブ側機器Ｓ１に宛てて接続要求信号を送信する（手順４）。前記応答信号を送信した（手順２）後に前記接続要求信号を受信した（手順４）ＢＴスレーブ側機器Ｓ１は、ＢＴマスタ側機器Ｍとの間の認証に必要なＰＩＮコード（Personal Identification Number ：個人認証番号）の要求信号をＢＴマスタ側機器Ｍに送信する（手順５）。すると、ＢＴマスタ側機器Ｍは、固有のＰＩＮコードをＢＴスレーブ側機器Ｓ１に送信し（手順６）、そのＰＩＮコードを受信したＢＴスレーブ側機器Ｓ１が接続応答信号をＢＴマスタ側機器Ｍに送信する（手順７）。ＢＴマスタ側機器Ｍは、接続要求信号（手順４）に対する接続応答信号（手順７）を受信すると、前記接続要求信号の送り先、即ち、接続応答信号の送信元であるＢＴスレーブ機器Ｓ１を接続相手として確定する（ペアリング）。その後、ＢＴマスタ側機器ＭとＢＴスレーブ側機器Ｓ１との間で接続確立がなされ、ＢＴマスタ側機器ＭとＢＴスレーブ機器Ｓ１との間において近距離通信によるデータの送受が行われる。
【００５３】
図１に示す情報配信システムでは、マスタ側無線通信機器としての携帯情報端末２０（ＢＴ無線通信ユニット２１０）と、スレーブ側無線通信機器としての情報配信固定局１０との間で、上述したようなブルートゥース（登録商標）の規定に従った近距離通信が開始される。そして、その近距離通信において、配信情報が情報配信固定局１０から携帯情報端末２０（ＢＴ無線通信ユニット２１０）に送られる。具体的に、それら携帯情報端末２０（ＢＴ無線通信ユニット２１０）と情報配信固定局１０との間では、図５に示す通信手順に従って情報の送受がなされる。その際、情報配信固定局１０の制御ユニット１５は、図６に示す手順に従って情報配信に係る処理を実行し、携帯情報端末２０の処理ユニット２００は、図９に示す手順に従って情報取得に係る処理を実行する。
【００５４】
図５において、例えば、建物内を移動する者により所持されている携帯情報端末２０（ＢＴ無線通信ユニット２１０）は、探索信号を送信している（手順１）。前記建物内に設置された情報配信固定局１０は、探索信号の待ち受け状態にあり、その制御ユニット１５（図２参照）は、受信部１１にて探索信号が受信されるか否かを判定している（図６におけるＳ１１）。携帯情報端末２０が情報配信固定局１０の近傍まで移動していき、情報配信固定局１０（受信部１１）にて探索信号が受信されたと制御ユニット１５が判定すると（図６におけるＳ１１でＹＥＳ）、後述するような手順に従って情報配信固定局１０から携帯情報端末２０（ＢＴ無線通信ユニット２１０）に向けて配信情報を含む応答信号が送信される（手順２）。なお、このとき、図４に示す通信手順と同様に、携帯情報端末２０の近傍にある他のＢＴスレーブ側機器Ｓ２が応答信号を送信する（手順３）一方、携帯情報端末２０の近傍にあっても前記探索信号に応答可能でないＢＴスレーブ側機器Ｓ３は、前記探索信号に対する応答信号を送信しない。マスタ側無線通信機器としての携帯情報端末２０（ＢＴ無線通信ユニット２１０）は、前記配信情報を含む応答信号を受信すると、図４に示すブルートゥース（登録商標）の規定に従った一般的な通信手順の場合とは異なり、接続要求信号を送信しない。その結果、携帯情報端末２０（マスタ側無線通信機器）と情報配信固定局１０（スレーブ側無線通信機器）との間で接続確立はなされず、携帯情報端末２０が情報配信固定局１０の近傍にある状態が維持されている間、携帯情報端末２０と情報配信固定局１０との間では上述した手順１、２に従って、探索信号の送受及び応答信号の送受が繰り返しなされ得る。
【００５５】
情報配信固定局１０の制御ユニット１５は、前述した通信手順（図５参照）に従って携帯情報端末２０と近距離通信を行うに際して、図６に示す手順に従って情報配信に係る処理を行う。
【００５６】
図６において、制御ユニット１５（情報配信固定局１０）は、前述したように受信部１１にて探索信号が受信されたと判定すると（Ｓ１１でＹＥＳ：図５における手順１参照）、記憶部１７に格納された配信すべき情報（配信情報）を用いて、応答信号の本来マスタ側無線機器との接続確立に必要な情報である「デバイス名」を含めるべき領域に該接続確立に関わりない配信情報を含む当該応答信号を用意（セット）する（Ｓ１２：応答信号セット手段）。そして、制御ユニット１５は、用意（セット）された前記応答信号が送信信号処理部１４での処理を経て送信部１２から携帯情報端末２０（ＢＴ無線通信ユニット２１０）に送信されるように制御する（Ｓ１３：応答信号送信制御手段：図５における手順２参照）。以後、情報配信固定局１０は、携帯情報端末２０から探索信号を受信する（Ｓ１１でＹＥＳ）毎に、前記配信情報を含む応答信号を携帯情報端末２０に送信する（Ｓ１２、Ｓ１３）。
【００５７】
情報配信固定局１０がセットして送信する前記応答信号は、例えば、図７に示すように構成される。
【００５８】
図７において、応答信号は、接続確立に必要なデバイスの名前（情報配信固定局１０の名前）、配信情報の開始を表す識別子「＃ＢＬＴ」、識別子「＄ａ＝」に続く位置情報、識別子「＄ｂ＝」に続くセンサ情報（センサにより検出される温度等の情報）、識別子「＄ｃ＝」に続くURL、及び配信情報の終了を表す識別子「$」により構成されている。即ち、応答信号には、マスタ側無線通信機器との接続確立に必要な「デバイス名」を含めるべき領域に、そのデバイス名のほか、接続確立に関わりのない、例えば、情報配信固定局１０の設置位置を表す位置情報、温度センサにより検出される温度情報、インターネット上の情報源の所在を表すURLを配信情報として含めることができる。前記応答信号に含めることのできる配信情報は、上述したものに限らず、任意に決めることができる。例えば、図８に示すように、上述したように識別子「＄ａ＝」に対応する位置情報、識別子「＄ｂ＝」に対応するセンサ情報及び識別子「＄ｃ＝」に対応するURLに加えて、更に、識別子「＄ｄ＝」に対応する詳細な位置情報、識別子「＄ｅ＝」に対応する公開ＷｉＦｉ情報（ＳＳＩＤ）、識別子「＄ｆ＝」に対応する公開ＷｉＦｉ情報（パスワード）、識別子「＄ｇ＝」に対応するサーバアドレス、識別子「＄ｈ＝」に対応する他のサーバアドレス、識別子「＄ｉ＝」に対応する配信情報の動的変更の有無を表す情報、識別子「＄ｊ＝」に対応する続報の有無を表す情報、識別子「＄ｋ＝」に対応する日時データ、識別子「＄ｌ＝」に対応するユーザ名、識別子「＄ｍ＝」に対応するユーザ電話番号、識別子「＄ｎ＝」に対応するユーザＳＮＳアカウント情報、識別子「＄ｏ＝」に対応するユーザメールアドレス、識別子「＄ｐ＝」に対応する公開鍵データ、及び識別子「＄ｑ＝」に対応するメッセージ情報を、接続確立に関わりない配信情報として応答信号に含めることができる。
【００５９】
一方、携帯情報端末２０の処理ユニット２００は、前述した通信手順（図５参照）に従って情報配信固定局１０と近距離通信を行うに際して、図９に示す手順に従って情報取得に係る処理を行う。
【００６０】
図９において、処理ユニット２００は、加速度センサ（図示略）からの信号に基づいて携帯情報端末２０が移動状態にあることを確認しつつ（Ｓ２１でＹＥＳ）、ＢＴ無線通信ユニット２１０（送信部）にブルートゥース（登録商標）の規定に従ったデバイスの探索信号を送信させ（Ｓ２２：図５における手順１参照）、その探索信号に対する応答信号がＢＴ無線通信ユニット２１０（受信部）にて受信されるか否かの判定（Ｓ２３）を繰り返し行っている。この状態で、ＢＴ無線通信ユニット２１０（受信部）が前述したように配信情報（図７及び図８参照）を含む応答信号を情報配信固定局１０から受信すると（Ｓ２３でＹＥＳ：図５における手順２参照）、処理ユニット２００は、受信した応答信号のスレーブ側無線通信機器（情報配信固定局１０）との接続確立に必要な情報として定められている「デバイス名」の領域にある文字列を先頭文字から順にサーチして、文字列「＃ＢＬＴ」の識別子があるか否かを判定する（Ｓ２４）。受信した応答信号の「デバイス名」の領域にその識別子「＃ＢＬＴ」があると（Ｓ２４でＹＥＳ）。処理ユニット２００は、識別子「＃ＢＬＴ」の後に文字列「＄●＝」（●：ａ、ｂ、ｃ、・・・：＄に続くべき英小文字（図７及び図８参照））の識別子があるか否かを判定する（Ｓ２５）。識別子「＄●＝」があると（Ｓ２５でＹＥＳ）、該識別子「$●＝」及び次の文字（識別子）「＄」と所定の相対位置関係をもって配置された文字列、具体的には、前記識別子「＄●＝」から次の文字（識別子）「＄」までの文字列を配信情報として記憶部２０３にある配信情報リストに保存する（Ｓ２６）。以下、処理ユニット２００は、応答信号の「デバイス名」の領域にある最後の文字「＄」に向けてサーチして、他に文字列「＄●＝」の識別子があるか否かを判定する（Ｓ２７）。そして、識別子「$●＝」を見つける（Ｓ２７でＹＥＳ）毎に、その識別子「＄●＝」から次の文字「＄」までの文字列を配信情報として前記配信情報リストに保存する（Ｓ２６）。
【００６１】
前記応答信号の文字列のサーチの過程で、そのサーチの対象が最終の文字「＄」に達して、識別子「＄●＝」がないと判定すると（Ｓ２７でＮＯ）、処理ユニット２００は、配信情報（配信情報リスト）が更新された旨を、当該処理ユニット２００にて並列的に実行されているアプリケーションに通知する（Ｓ２８）。以後、処理ユニット２００は、前述した処理（Ｓ２１〜Ｓ２８）を繰り返し実行する。その過程で、探索信号に対して情報配信固定局１０から送信される応答信号が受信される毎に、処理ユニット２００は、その応答信号に含まれる配信情報を取得し（Ｓ２４〜Ｓ２７：配信情報取得手段）、その配信情報が更新された旨をアプリケーションに通知する（Ｓ２８）。
【００６２】
なお、受信した応答信号に識別子「＃ＢＬＴ」が含まれていない場合（Ｓ２４でＮＯ）、他のＢＴスレーブ側機器からの応答信号であるとして、処理ユニット２００は、以後の処理（Ｓ２５〜Ｓ２８）を行わずに、携帯情報端末２０が移動状態にあることを確認しつつ（Ｓ２１でＹＥＳ）、デバイスの探索信号の送信に係る処理を行う（Ｓ２２）。また、受信した応答信号において識別子「＃ＢＬＴ」の後に識別子「$●＝」が無い場合（Ｓ２５でＮＯ）、情報配信固定局１０から情報の配信がなされていないとして、処理ユニット２００は、以後の処理（Ｓ２６〜Ｓ２８）を行わずに、携帯情報端末２０が移動状態にあることを確認しつつ（Ｓ２１でＹＥＳ）、デバイスの探索信号の送信に係る処理を行う（Ｓ２２）。
【００６３】
上述した処理により、携帯情報端末２０は、例えば、「デバイス名」の領域に図７に示すように配信情報が含められた応答信号を受信し、その応答信号から位置情報（識別子「＄ａ＝」に対応）、センサ情報（識別子「＄ｂ＝」に対応）及びURL（識別子「＄ｃ＝」に対応）の配信情報を取得することができる。そして、携帯情報端末２０おいて実行されるアプリケーションは、取得される前記位置情報等の配信情報を利用することができる。
【００６４】
上述したような情報配信システムでは、ブルートゥース（登録商標）の規定に従って近距離通信を開始する無線通信システムの仕組みが利用され、マスタ側無線通信機器としての携帯情報端末２０（ＢＴ無線通信ユニット２１０）が探索信号を送信した後に、スレーブ側無線通信機器としての情報配信固定局１０から、応答信号の接続確立に必要な情報として予め定められた「デバイス名」を含めるべき領域に接続確立に関わりない位置情報等の配信情報を含む当該応答信号が送信され、その応答信号を受信した携帯情報端末２０が該応答信号に含まれる位置情報等の配信情報を取得する。従って、携帯情報端末２０と情報配信固定局１０との間の接続確立がなされる前の、探索信号の送受及びその応答信号の送受により、その接続確立に関わりない位置情報等の配信情報を情報配信固定局１０から携帯情報端末２０にブルートゥース（登録商標）の規定に従った近距離通信により送ることができる。このように前記情報配信システムは、情報配信固定局１０から携帯情報端末２０に位置情報等の情報が配信される際にそれらの間で接続確立がなされる必要がないので、セキュリティ上必要な情報（ＰＩＮコード、リンクキー等）を送受する必要が無く、不特定多数に向けての情報配信のために利用し易いものとなる。
【００６５】
携帯情報端末２０でなされる図９に示す手順に従った情報取得に係る処理において、携帯情報端末２０が、机などに置かれていたりして移動状態にない場合（Ｓ２１でＮＯ）には、情報取得に係る実質的な処理（Ｓ２２〜Ｓ２８）がなされないので、情報取得に係る無駄な処理がなされずにすみ、携帯情報端末２０の消費電力の節減を図ることができる。なお、このように携帯情報端末が移動状態にあること（Ｓ２１でＹＥＳ）を条件に、図９に示す後の手順に従った処理（Ｓ２２〜Ｓ２８）が実行されるようにしたが、これに限られず、例えば、ユーザによる操作部２０２の所定の操作によって、前記処理（Ｓ２２〜Ｓ２８）が開始されるようにしてもよい。
【００６６】
上述した情報配信システムの一つの適用例が図１０に示される。
【００６７】
図１０において、例えば、ＧＰＳ衛星からの情報を得ることのできないショッピングモール等の建物ＢＬＤ内に複数の情報配信固定局１０ａ、１０ｂ、１０ｃが設置されている。なお、図１０においては３つの情報配信固定局１０ａ、１０ｂ、１０ｃしか示されていないが、勿論、情報配信固定局の設置個数はこれに限られず、任意に決めることができる。携帯情報端末２０を所持する者がこの建物ＢＬＤ（ショッピングモール等）内を移動する際に各情報配信固定局１０ａ、１０ｂ、１０ｃの近傍に位置すると、前述した手順（図５〜図９参照）に従って、各情報配信固定局１０ａ、１０ｂ、１０ｃから建物ＢＬＤ内での位置（経度、緯度、階数）を表す位置情報が携帯情報端末２０に配信される。
【００６８】
位置情報を取得する携帯情報端末２０では、携帯情報端末２０（それを所持する者）の建物ＢＬＤ内での所在位置を表す地図の表示処理が、例えば、図１１に示す手順に従ってなされる。
【００６９】
図１１において、携帯情報端末２０の処理ユニット２００（図３参照）は、配信情報の更新があったか否かを繰り返し判定している（Ｓ３１）。処理ユニット２００は、その配信情報の更新があった判定すると（Ｓ３１でＹＥＳ）、更に、配信情報リスト（記憶部２０３に格納されている）に位置情報（例えば、識別子「＄ａ＝」あるいは識別子「＄ｄ＝」に対応（図８参照））があるか否かを判定する（Ｓ３２）。配信情報リストに位置情報があると（Ｓ３２でＹＥＳ）、処理ユニット２００は、配信情報リストにある位置情報を取得する（Ｓ３３）。この位置情報（例えば、１６バイト）は、緯度（１〜７バイト）、経度（８〜１４バイト）及び建物ＢＬＴの階数（１５〜１６バイト）で構成されている。処理ユニット２００は、取得した位置情報で表される緯度、経度及び階数が突飛な値ではなく、正常な値であると判定すると（Ｓ３４でＹＥＳ）、その取得した位置情報（緯度、経度、階数）で表される位置を表すマークが、例えば、表示部２０１の画面中央に表示されるように、表示部２０１に表示される地図を更新する（Ｓ３５）。表示部２０１の画面に固定的に表示される地図上において前記位置情報基づいて表されるマークの位置を更新するようにしてもよい。
【００７０】
以後、配信情報の更新がある毎に（Ｓ３２でＹＥＳ）、配信情報に含まれる位置情報（緯度、経度、階数）に基づいて、携帯情報端末２０（所持者）の建物ＢＬＤ内での所在位置を表す地図の表示処理（Ｓ３２〜Ｓ３５）がなされる。なお、その過程で、配信情報リストに位置情報が無い場合（Ｓ３２でＮＯ）、位置情報の配信がなされていないとして、また、位置情報にて表される位置が、突飛な位置である場合（Ｓ３４でＮＯ）、位置情報が間違っているとして、それぞれ、地図表示に係る実質的な処理がなされない。
【００７１】
上述したような情報配信システムの適用例では、ＧＰＳ衛星からの位置情報を受けることの難しい建物ＢＬＴ内であっても、その建物ＢＬＴ内の正確な位置を表す位置情報（経度、緯度、階数）を携帯情報端末２０に配信することができる。これにより、携帯情報端末２０の所持者は、ショッピングモール等の建物ＢＬＴ内での所在位置を容易に知ることができ、また、携帯情報端末２０から、例えば、目的店舗までのナビゲーションを受けることもできる。更に、建物ＢＬＴ内の階数等で表される地上からの高さ方向の位置も携帯情報端末２０に配信することができるので、利用者に３次元的な位置を提供することができる。
【００７２】
上述した情報配信システムの他の適用例が図１２に示される。
【００７３】
図１２において、複数の情報配信固定局１０ａ、１０ｂ、１０ｃがネットワークＮＷ（一部または全部に無線ネットワークを含むことができる）を介して配信情報管理サーバ１００に接続されている。各情報配信固定局１０ａ、１０ｂ、１０ｃは、配信情報サーバ１００から送られてくる配信情報を応答信号に含め、探索信号を送信する携帯情報端末２０に、その応答信号を送信する。携帯情報端末２０は、配信情報管理サーバ１００により管理される配信情報を取得することができる。
【００７４】
この場合、各情報配信固定局１０ａ、１０ｂ、１０ｃは、図６に示す手順に代えて、図１３に示す手順に従って、情報配信に係る処理を実行する。
【００７５】
図１３において、情報配信固定局１０の制御ユニット１５は、配信情報管理サーバ１００から更新された配信情報が提供されるか否かを確認しつつ（Ｓ１０１）、マスタ側無線通信機器としての携帯情報端末２０からの探索信号が受信部１１にて受信されたか否かを判定している（Ｓ１１）。その過程で、配信情報管理サーバ１００から更新された新たな配信情報が提供されると（Ｓ１０１でＹＥＳ）、制御ユニット１５は、その更新配信情報を取得して記憶部１７に保存する（Ｓ１０２）。この状態で、携帯情報端末２０からの探索信号が受信部１１にて受信されると（Ｓ１１でＹＥＳ）、制御ユニット１５は、更新配信情報が記憶部１７に保存されているか否かを判定する（Ｓ１０３）。更新配信情報が記憶部１７に保存されていると（Ｓ１０３でＹＥＳ）、制御ユニット１５は、その更新配信情報が前述したように「デバイス名」の領域に含まれる応答信号（図７及び図８参照）を作成し（Ｓ１０４）、その応答信号を送信すべき信号として用意（セット）する（Ｓ１２）。そして、その更新配信情報を含む応答信号がマスタ側無線通信機器としての携帯情報端末２０に送信される（Ｓ１３）。
【００７６】
なお、配信情報管理サーバ１００からの更新配信情報の提供がない状況（Ｓ１０１でＮＯ、Ｓ１０３でＮＯ）では、図６に示す場合と同様に、探索信号を受信する毎に（Ｓ１１でＹＥＳ）、その時点で得られている配信情報を含めた応答信号がセットされて（Ｓ１２）、携帯情報端末２０に送信される（Ｓ１３）。
【００７７】
配信情報を含む応答信号を図１３に示す手順に従って送信する各情報配信固定局１０（１０ａ、１０ｂ、１０ｃを総称して参照番号１０を用いる）と、携帯情報端末２０との間では、図１４に示すような通信手順に従って情報の送受がなされる。
【００７８】
図１４において、情報配信固定局１０が配信情報管理サーバ１００から配信情報Ａを取得した（Ｓ４０）後に、携帯情報端末２０（マスタ側無線通信機器）から送信される探索信号が情報配信固定局１０にて受信されると（手順１）、情報配信固定局１０から「デバイス名」の領域に前記配信情報Ａを含む応答信号が携帯情報端末２０に送信される（手順２）。携帯情報端末２０は受信した応答信号に含まれる配信情報Ａを取得することができる。その後、配信情報管理サーバ１００から提供される配信情報が更新されて、情報配信固定局１０が、前記配信情報Ａと異なる配信情報Ｂを取得する（Ｓ４１）。この状況で、携帯情報端末２０から送信される探索信号が情報配信固定局１０にて受信されると（手順３）、情報配信固定局１０からデバイス名に新しい配信情報Ｂを含む応答信号が携帯情報端末２０に送信される（手順４）。その後、携帯情報端末２０は受信した応答信号に含まれる新たな配信情報Ｂを取得することができる。
【００７９】
情報配信システムの上述したような適用例（図１２〜図１４参照）では、配信情報管理サーバ１００にて一括的に管理される配信情報を、多くの情報配信固定局１０から多くの携帯情報端末２０に配信することができる。そして、携帯情報端末２０では、常に更新されて新たな配信情報を取得することができる。
【００８０】
前述した情報配信システムの更に他の適用例について説明する。
【００８１】
図１５に示すシステムでは、携帯情報端末２０と携帯情報端末２１との間で、ブルートゥース（登録商標）の規定に従った近距離通信により情報の配信を行うことができる。各携帯情報端末２０、２１は、図３に示すように構成されており、ＢＴ無線通信ユニット２１０を有している。例えば、携帯情報端末２０は、マスタ側無線通信機器として機能し、携帯情報端末２１はスレーブ側無線通信機器として機能する。このようなシステムでは、図５に示す通信手順に従って、携帯情報端末２０（ＢＴ無線通信ユニット２１０）から送信される探索信号を受信する携帯情報端末２１（ＢＴ無線通信ユニット２１０）が配信情報を含む応答信号を送信する（図６参照）。そして、携帯情報端末２１から送信される応答信号を受信した携帯情報端末２０が、その受信した応答信号から配信情報を取得し、その配信情報を利用する。
【００８２】
携帯情報端末２０は、例えば、図１６Ａ及び図１６Ｂに示す手順に従って、携帯情報端末２１から送信される応答信号から配信情報としてのユーザ情報（ユーザ名、ユーザ電話番号、ユーザメールアドレス）を取得する。
【００８３】
図１６Ａにおいて、携帯情報端末２０の処理ユニット２００は、配信情報が更新されたと判定すると（Ｓ５１でＹＥＳ）、配信情報リストに、ユーザ名に対応した識別子「＄ｌ＝」、電話番号に対応した識別子「＄ｍ＝」、及びメールアドレスに対応した識別子「＄ｏ＝」（図８参照）があるか否かを判定する（Ｓ５２）。配信情報リストに識別子「＄ｌ＝」があると、処理ユニット２００は、識別子「＄ｌ＝」から次の文字「＄」までの文字列をユーザ名として取得する（Ｓ５３ａ）。また、配信情報リストに識別子「＄ｍ＝」があると、処理ユニット２００は、識別子「＄ｍ＝」から次の文字「＄」までの文字列を電話番号として取得する（Ｓ５３ｂ）。更に、配信情報リストに識別子「＄ｏ＝」があると、処理ユニット２００は、識別子「＄ｏ＝」から次の文字「＄」までの文字列をメールアドレスとして取得する（Ｓ５３ｃ）。
【００８４】
処理ユニット２００は、上記のようにしてユーザ名、電話番号及びメールアドレスの少なくともいずれか１つを含むユーザ情報を取得すると（Ｓ５３ａ〜Ｓ５３ｃ）、配信情報リストに他のユーザ情報を表す識別子（「＄ｌ＝」、「＄ｍ＝」、「＄ｏ＝」）があるか否かを判定し（Ｓ５４）、もしあれば、そのユーザ情報を取得する（Ｓ５３ａ〜Ｓ５３ｃ）。そして、配信情報リストから全てのユーザ情報を取得すると（Ｓ５４でＮＯ）、処理ユニット２００は、図１６Ｂの処理に移行して、表示部２０１に取得したユーザ情報を表示させるとともに、そのユーザ情報を保存するか、保存しないかの選択ボタンを表示させる（Ｓ５５）。利用者が「保存する」の選択ボタンを操作すると（Ｓ５６でＹＥＳ）、処理ユニット２００は、取得した前記ユーザ情報を記憶部２０３にあるアドレス帳に登録する（Ｓ５７）。一方、利用者が「保存しない」の選択ボタンを操作すると（Ｓ５６でＮＯ）、処理ユニット２００は、表示部２０１に表示されたユーザ情報を消し、そのユーザ情報の登録を行うことなく、当初の配信情報が更新されたか否かを確認する（図１６ＡのＳ５１）状態に戻る。
【００８５】
上述したような情報配信システムの適用例によれば、不特定多数に向けた情報の配信ではなく、個々人が所有する携帯情報端末２０と携帯情報端末２１との間でユーザ情報等の情報の配信が可能になる。その際に、携帯情報端末２０と携帯情報端末２１との間で接続確立がなされる必要がなく、より簡易にユーザ情報等の情報の配信を行うことができる。ただし、スレーブ側無線通信機器としての携帯情報端末２１の近傍に携帯情報端末２０のようなマスタ側無線通信機器としての携帯情報端末が複数存在する場合、携帯情報端末２１からその複数の携帯情報端末に情報（ユーザ情報）を配信することができる。
【００８６】
情報配信システムの上記の適用例（図１５参照）において、図１７に示す通信手順に従って情報を配信（情報を取得）することができる。
【００８７】
図１７において、携帯情報端末２１は、例えば、３Ｇ移動通信ユニット２２０を用いて画像ファイルをインターネット上のファイル保存サーバにアップロードする（手順０）。この状態で、マスタ側無線通信機器としての携帯情報端末２０のＢＴ無線通信ユニット２１０（図３参照）から送信されるデバイス探索信号をスレーブ側無線通信機器としての携帯情報端末２１のＢＴ無線通信ユニット２１０（図３参照）が受信する（手順１）。すると、携帯情報端末２１（ＢＴ無線通信ユニット２１０）は、前記ファイル保存サーバにおける前記画像ファイルの格納場所を表すＵＲＬ（画像保存アドレス情報を含む）を「デバイス名」の領域に含む応答信号を送信する（手順２）。
【００８８】
携帯情報端末２０は、ＢＴ無線通信ユニット２１０にて受信された応答信号から前記ＵＲＬ（画像保存アドレスを含む）を取得し、３Ｇ移動通信ユニット２２０を用いて、前記ＵＲＬで特定されるインターネット上のファイル保存サーバにダウンロード要求を行う（手順３）。そして、携帯情報端末２０（３Ｇ移動通信ユニット２２０）は、前記ダウンロード要求に従ってファイル保存サーバから前記画像ファイルをダウンロードする（手順４）。携帯情報端末２０では、ファイル保存サーバからダウンロードした画像ファイルに基づいて表示部２０１に画像の表示を行うことができる等、その画像ファイルを利用することができる。
【００８９】
上述した情報配信システムは、ブルートゥース（登録商標）の規定に従って近距離通信を行う無線通信システム（マスタ側無線通信機器及びスレーブ側無線通信機器を含む）を利用するものであったが、これに限られない。少なくとも、「マスタ側無線通信機器が探索信号を送信し、スレーブ側無線通信機器が探索信号の待ち受け動作を行い、前記探索信号を受信した前記スレーブ側無線通信機器が、前記マスタ側無線通信機器との接続確立に必要な情報として予め定められた情報を含む応答信号を前記マスタ側無線通信機器に送信する、という手順に従って、前記マスタ側無線通信機器と前記スレーブ側無線通信機器との間で近距離無線通信を開始する無線通信システム」であれば利用することができる。
【００９０】
配信される情報は、図７及び図８に示される情報に限られず、また、その配信情報を応答信号に含めるフォーマットについても図７に示すものに限定されずに、任意に決めることができる。
【００９１】
また、配信情報を含める領域についても、応答信号の「デバイス名」の領域に限定されず、マスタ側無線通信機器とスレーブ側無線通信機器との接続確立に必要な情報として予め定められた情報を含めるべき領域であればよい。また、応答信号の「デバイス名」の領域に配信情報とともに、そのデバイス名自体も含むものであったが、デバイス名自体は含められていなくてもよい。一般的には、応答信号の接続確立に必要な情報として予め定められた情報を含めるべき領域には、配信情報が含まれていれば、その接続確立に必要な情報として予め定められた情報自体は含まれていなくてもよい。
【００９２】
なお、マスタ側無線通信機器としての携帯情報端末２０（例えば、スマートフォン）は、情報配信を受けるためのプログラムを、例えば、３Ｇ移動通信ユニット２２０によってインターネット上の所定のサイトから１つのアプリケーションソフトとしてダウンロードすることができる。また、前記情報配信を受けるためのプログラムは、その配信情報を利用するアプリケーションソフト（例えば、前述した地図における所在位置の表示やナビゲーションを行うアプリ等）の一部として含めることができる。更に、図１５に示すような適用例におけるスレーブ側無線通信機器としての携帯情報端末２１も、情報配信を行うためのプログラムをインターネット上の所定のサイトから１つのアプリケーショソフトとしてダウンロードすることができる。
【産業上の利用可能性】
【００９３】
以上、説明したように、本発明に係る情報配信システムは、近距離無線通信を利用するものであっても、不特定多数に向けての情報配信がし易いものであり、近距離無線通信により情報を配信する情報配信システムとして有用である。
【符号の説明】
【００９４】
１０  情報配信固定局（第２無線通信機器）
１１  受信部
１２  送信部
１３  受信信号処理部
１４  送信信号処理部
１５  制御ユニット
１６  基準信号生成部
１７  記憶部
２０  携帯情報端末（第１無線通信機器）
２１  携帯情報端末（第２無線通信機器）
１００  配信情報管理サーバ
２００  処理ユニット
２０１  表示部
２０２  操作部
２０３  記憶部
２１０  ＢＴ無線通信ユニット
２２０  ３Ｇ移動通信ユニット
【図１】
2014017254.tif 000003
【図２】
2014017254.tif 000004
【図３】
2014017254.tif 000005
【図４】
2014017254.tif 000006
【図５】
2014017254.tif 000007
【図６】
2014017254.tif 000008
【図７】
2014017254.tif 000009
【図８】
2014017254.tif 000010
【図９】
2014017254.tif 000011
【図１０】
2014017254.tif 000012
【図１１】
2014017254.tif 000013
【図１２】
2014017254.tif 000014
【図１３】
2014017254.tif 000015
【図１４】
2014017254.tif 000016
【図１５】
2014017254.tif 000017
【図１６Ａ】
2014017254.tif 000018
【図１６Ｂ】
2014017254.tif 000019
【図１７】
2014017254.tif 000020
【国際調査報告】
2014017254.tif 000021
2014017254.tif 000022
2014017254.tif 000023
2014017254.tif 000024